(57)【要約】【課題】取付け箇所に制約が生じることがないとともに設置個所や環境に応じて柔軟に対応することができる火災発信機を提供する。【解決手段】前方から操作可能な押釦（１１）および該押釦が操作されたことを検知可能な検知手段（１６）を有する本体ケース（１２）と、少なくとも押釦の一部を露出させる開口部を有する取付けベース体（１３）とを備え、前記本体ケースの内部に、検知手段の状態に応じて外部へ出力する信号を生成する回路が実装された回路基板が収納されている発信機において、前記取付けベース体は、前記本体ケースの少なくとも一部と係合可能な枠体部（１３Ａ）と、該枠体部の前端に設けられ外形が正面視で円形の一部を切り欠いた形状を呈するフランジ部（１３Ｂ）とを備え、前記枠体部の前側および後側を除く外壁の壁面の少なくとも２箇所には、連続した雄ネジまたは雌ネジの一部をなす部分ネジをそれぞれ形成するようにした。【選択図】図２
2018120516.tif 000002
【特許請求の範囲】
【請求項１】
前方から操作可能な押釦および該押釦が操作されたことを検知可能な検知手段を有する本体ケースと、少なくとも前記押釦の一部を露出させる開口部を有する取付けベース体と、を備え、前記本体ケースの内部に、前記検知手段の状態に応じて外部へ出力する信号を生成する回路が実装された回路基板が収納されている発信機であって、
前記取付けベース体は、前記本体ケースの少なくとも一部と係合可能な枠体部と、該枠体部の前端に設けられ外形が正面視で円形の一部を切り欠いた形状を呈するフランジ部と、を備えることを特徴とする発信機。
【請求項２】
前記枠体部の前側および後側を除く外壁の壁面の少なくとも２箇所には、連続した雄ネジまたは雌ネジの一部をなす部分ネジがそれぞれ形成されていることを特徴とする請求項１に記載の発信機。
【請求項３】
前記部分ネジは２条ネジであることを特徴とする請求項２に記載の発信機。
【請求項４】
前記本体ケースには、前記押釦が押された状態を保持する機構と、該機構により保持されている押された状態を解除するための操作杆が設けられ、
前記取付けベース体の前面には、前記操作杆の端部が露出する凹部が、前記開口部の上方または下方に位置するように形成され、
前記部分ネジは、前記枠体部の上部および下部に形成されていることを特徴とする請求項２または３に記載の発信機。
【請求項５】
前記部分ネジは、前記枠体部の上部および下部の壁体の外壁面に形成された部分雄ネジであることを特徴とする請求項４に記載の発信機。
【請求項６】
請求項１〜５のいずれかに記載の発信機と、
前記フランジ部の切り欠かれた部位を補完する形状をなすように形成された補形部と、前記本体ケースが挿通可能な開口が形成され、前記本体ケースの前記部分ネジ周辺部後面が接触可能な段差部が設けられた台座部と、を有する第一形態の装飾パネルと、
前記第一形態の装飾パネルを挟んで前記本体ケースに固定される設置用プレートと、
を備えることを特徴とする発信装置。
【請求項７】
前記補形部は、前記フランジ部の切り欠かれた部位を補完するように配設された際に、正面視略円形形状を呈するように外形が形成されていることを特徴とする請求項６に記載の発信装置。
【請求項８】
請求項１〜５のいずれかに記載の発信機と、
前記フランジ部の切り欠かれた部位に連続して所定の形状を呈するとともに前記本体ケースが挿通可能な開口が形成され前記本体ケースの前記部分ネジ周辺部後面が接触可能な段差部が設けられた台座部と、を有する第二形態の装飾パネルと、
前記部分ネジと螺合可能なネジを有するリング状の固定手段と、
を備えることを特徴とする発信装置。
【請求項９】
前記第２形態の装飾パネルは、前記本体ケースを挟むようにして、左側の部分と右側の部分に、それぞれ内部に発光素子が収納された表示部が設けられていることを特徴とする請求項８に記載の発信装置。
【発明の詳細な説明】
【技術分野】
【０００１】
本発明は、緊急報知用の発信機に関し、例えば建物の壁部に設けられ火災発生時に操作されることで警報を発するための火災発信機に利用して有効な技術に関する。
【背景技術】
【０００２】
従来、建物内部には火災の発生を知らせるために、火災報知システムが設けられている。火災報知システムは、火災感知器や押釦スイッチを備えた手動の火災発信機、受信機、火災報知用のベル、表示灯などから構成され、このうち火災発信機は建物の廊下等の壁面に適切な高さで設置されている。火災発生時には、発見者が火災発信機の押釦スイッチを強く押すことにより、火災発生を知らせる信号が受信機に伝送されると共に、火災発信機の近傍に設けられるベルから警報音が発せられて、周囲の人に対し火災発生を知らせることができる。
【０００３】
このような火災発信機は、円盤状のものが一般的であり、火災発信機本体は上記押釦スイッチと、受信機の監視員と通話するための電話ジャックとを備え、また押釦スイッチが押された場合に信号を伝送するための回路が内蔵されており、建物の壁面に埋め込むように設置される。さらに、火災発信機本体の室内露出部分を覆う前面カバーが火災発信機本体の前面に設けられ、前面カバーは、押釦スイッチが露出する開口部および復帰ボタンや電話ジャックを収納する収納凹部を有しているとともに、収納凹部の前面を覆い、必要に応じて開閉することができる扉が設けられている。このような火災発信機としては、例えば特許文献１に記載されているものがある。
【０００４】
一方、表示灯は、発信機や消火栓箱等の防災機器の設置位置を表示するために設けられている機器で、従来は砲弾状ないしはドーム状のものが一般的であった。また、近年、前面が平坦もしくは円盤状をなすフラットタイプの表示灯や、発信機と一体に構成された表示灯も実用化されている。フラットタイプの表示灯に関する発明としては、例えば特許文献２に記載されているものが、また発信機と一体に構成された表示灯に関する発明としては、例えば特許文献３に記載されているものがある。
【先行技術文献】
【特許文献】
【０００５】
【特許文献１】実開平０４−４０３９５号公報
【特許文献２】特開２０１５−５６２０５号公報
【特許文献３】特開２０１４−１５７４４６号公報
【発明の概要】
【発明が解決しようとする課題】
【０００６】
従来の一般的な火災発信機は、比較的大型の円盤状のもので表示灯を備えていないため、取付け箇所に制約が生じたり、消防法等の要請により近傍に表示灯を設置する必要がある場合に対応できなかったりして、柔軟性が低いという課題があった。
一方、従来の一般的な砲弾形の表示灯は、通行や搬入作業等の建物の通常使用において障害物となることがあるため、薄型形状のものが望まれている。
特許文献３に記載されている発信機と表示灯とを一体に構成したものは、上記のような要望にある程度応えることができるものの、多数のビスを用いて固定する構成のものは建物の壁面等に設置する作業が面倒である。また、薄型形状ではあるが、表示灯が発信機の周囲全体を囲むリング状に構成されているため、充分な視認性を確保しようとすると全体が大型になってしまう一方、発信機の大きさが固定されている場合に小型化を優先すると表示灯の視認性が低下してしまう。
【０００７】
また、特許文献３に記載されているものは、発信機と表示灯とを常に一体に組み合わせて設置することを前提としているため、発信機を単独で設置することが困難であり、柔軟性が低いという課題があった。
本発明は上記のような課題に着目してなされたもので、その目的とするところは、従来のものに比べて取付け箇所に制約が生じることがないとともに、設置個所や環境に応じて柔軟に対応することができる発信機および発信装置を提供することにある。
【課題を解決するための手段】
【０００８】
上記課題を解決するために、本発明は、
前方から操作可能な押釦および該押釦が操作されたことを検知可能な検知手段を有する本体ケースと、少なくとも前記押釦の一部を露出させる開口部を有する取付けベース体と、を備え、前記本体ケースの内部に、前記検知手段の状態に応じて外部へ出力する信号を生成する回路が実装された回路基板が収納されている発信機であって、
前記取付けベース体は、前記本体ケースの少なくとも一部と係合可能な枠体部と、該枠体部の前端に設けられ外形が正面視で円形の一部を切り欠いた形状を呈するフランジ部と、を備えるようにしたものである。
上記構成によれば、外形が正面視で円形の一部を切り欠いた形状を呈するフランジ部を有するため、従来の発信機に比べて小型にすることができ、これにより、設置場所の制約も少なくなる。さらに、発信機を単独で設置することも合体可能な専用の表示灯と共に設置することも可能であるので、柔軟性が向上する。
【０００９】
ここで、望ましくは、前記枠体部の前側および後側を除く外壁の壁面の少なくとも２箇所には、連続した雄ネジまたは雌ネジの一部をなす部分ネジがそれぞれ形成されているようにする。
かかる構成によれば、枠体部に設けられている部分ネジに螺合可能なネジ（リング状）１つで、発信機を消火栓箱の扉等のパネルに取り付けることができるため、作業性が向上するようになる。
ここで、前記部分ネジは２条ネジとするとよい。これにより、短い時間に締め付け、取り外しが行なえる。また、取付け時にネジが螺合し始める場所が対向配置されるので（１８０度間隔で２箇所）、リング状ナットを最大１８０度回転させれば螺合を開始させることができ、取付け作業が容易になる。
【００１０】
また、望ましくは、前記本体ケースには、前記押釦が押された状態を保持する機構と、該機構により保持されている押された状態を解除するための操作杆が設けられ、
前記取付けベース体の前面には、前記操作杆の端部が露出する凹部が、前記開口部の上方または下方に位置するように形成され、
前記部分ネジは、前記枠体部の上部および下部に形成されているように構成する。
【００１１】
かかる構成によれば、発信機の本体ケースが縦長な形状になるため、本体ケースの上部と下部に部分ネジを形成することで、本体ケースの側部に部分ネジを形成するのに比べてネジの径を大きくすることができ、ネジによる締め付け力を高め、固定するネジが１つであってもパネルへの取付け後のぐらつきを小さくすることができる。
【００１２】
さらに、望ましくは、前記部分ネジは、前記枠体部の上部および下部の壁体の外壁面に形成された部分雄ネジであるようにする。
枠体部の上部および下部に形成される部分ネジを、雌ネジではなく雄ネジとすることで、該ネジに螺合する固定用のネジとして雌ネジ部を有するリング状の固定手段（ナット）を使用することができ、把手部を必要とする雄ネジを有するリング状の固定手段に比べて、形状をシンプルにして低コスト化を図ったり、ネジの厚さを薄くして小型化を図ったりすることができる。
【００１３】
また、本出願の他の発明に係る発信装置は、上記のような構成を有する発信機と、
前記フランジ部の切り欠かれた部位を補完する形状をなすように形成された補形部と、前記本体ケースが挿通可能な開口が形成され、前記本体ケースの前記部分ネジ周辺部後面が接触可能な段差部が設けられた台座部と、を有する第一形態の装飾パネルと、
前記第一形態の装飾パネルを挟んで前記本体ケースに固定される設置用プレートと、を備えるように構成する。
【００１４】
かかる構成によれば、設置用プレートを、消火栓箱の扉等のパネルの前面にネジにて取り付け、次に、発信機を取付ベース体と本体ケースに分けて、本体ケースを装飾パネルの台座部の開口に挿通させるとともに、本体ケースの部分ネジ周辺部後面を装飾パネルの台座部に接触させた状態で、ネジを本体ケースより装飾パネル（の切欠き部）に挿通する。設置用プレートの対応する位置に形成されているネジ穴に螺合させることで取り付けられる。したがって、発信装置を消火栓箱の扉等のパネルへ取り付ける全体の取り付け工数が削減され、組み付け作業の効率を向上させることができる。
【００１５】
ここで、望ましくは、前記補形部は、前記フランジ部の切り欠かれた部位を補完するように配設された際に、正面視略円形形状を呈するように外形が形成されているように構成する。
かかる構成によれば、既設の発信機に代えて新たな発信機を設置する際に、元の発信機と見かけ上ほとんど変わらない発信機を設置することができる。
【００１６】
また、本出願のさらに他の発明に係る発信装置は、上述したような構成を有する発信機と、
前記フランジ部の切り欠かれた部位に連続して所定の形状を呈するとともに前記本体ケースが挿通可能な開口が形成され前記本体ケースの前記部分ネジ周辺部後面が接触可能な段差部が設けられた台座部と、を有する第二形態の装飾パネルと、
前記部分ネジと螺合可能なネジを有するリング状の固定手段とを備えるように構成する。
かかる構成によれば、第二形態の装飾パネルが表示灯である場合、発信機と表示灯を別々に設置するスペースがない個所であっても、発信機および表示灯を設置することができる。また、表示灯が不要な箇所には、表示灯の代わりに装飾パネルを発信機に合体させて設置することができるため、柔軟性が高まる。
【００１７】
ここで、望ましくは、前記第２形態の装飾パネルは、前記本体ケースを挟むようにして、左側の部分と右側の部分に、それぞれ内部に発光素子が収納された表示部が設けられているように構成する。
かかる構成によれば、表示部が本体ケースを挟んで左側と右側にそれぞれ設けられることとなるため、設置場所から横方向へ遠く離れた位置からも表示部の点灯状態を視認することができる。
【発明の効果】
【００１８】
本発明によれば、従来のものに比べて取付け箇所に制約が生じることがないとともに、設置個所や環境に応じて柔軟に対応することができる発信機および発信装置を実現することができる。
【図面の簡単な説明】
【００１９】
【図１】本発明に係る火災発信機の第１の実施例を示すもので、（Ａ）は発信機の正面図、（Ｂ）は発信機の側面図である。
【図２】実施例の火災発信機の内部構造を示す分解斜視図である。
【図３】実施例の火災発信機を斜め後方から見た斜視図である。
【図４】実施例の火災発信機の中央にて切断して内部構造を示した縦断面図である。
【図５】実施例の火災発信機を構成する本体ケース内部の押釦回動支承部の構造を示す要部拡大斜視図である。
【図６】実施例の火災発信機を消火栓箱の扉等のパネルに取り付ける際の様子を示す斜視図である。
【図７】実施例の火災発信機を構成する取付けベース体と固定用ナットとの関係を示すもので、（Ａ）は取付けベース体に固定用ナットを近づけた状態を示す断面図、（Ｂ）は取付けベース体のネジ未形成部分に固定用ナットのネジ未形成部分を嵌合させた状態を示す断面図である。
【図８】本発明に係る火災発信機（発信装置）の第２の実施例を示す斜視図である。
【図９】第２実施例の火災発信機（発信装置）を構成する装飾パネルの具体例を示す斜視図である。
【図１０】第２実施例の火災発信機（発信装置）を消火栓箱の扉等のパネルに取り付ける際の様子を示す斜視図である。
【図１１】本発明に係る火災発信機（発信装置）の第３の実施例を示す斜視図である。
【図１２】第３実施例の火災発信機（発信装置）を構成する表示灯の具体例を示す斜視図である。
【図１３】第３実施例の火災発信機（発信装置）を消火栓箱の扉等のパネルに取り付ける際の様子を示す斜視図である。
【図１４】（Ａ）〜（Ｃ）はそれぞれ第２実施例の装飾パネルおよび第３実施例の表示灯の変形例を示す図である。
【発明を実施するための形態】
【００２０】
以下、図面を参照して、本発明を適用した火災発信機の一実施形態について説明する。
本実施形態の火災発信機（以下、単に発信機と記す）１０は、火災等の異常が発生した際に押釦を強く押して内部のスイッチをオンさせることにより異常の発生を知らせる信号を受信機に伝送する機能を備え、建造物の壁面あるいは消火栓箱の扉などに設置されて使用されるように構成されている。具体的には、本実施形態の発信機は、押釦スイッチを有する発信機本体と、発信機本体を壁面等に取り付けるためのリング状のナットからなる固定手段と、発信機本体と合体して一体化される表示灯または装飾プレートなどから構成される。
【００２１】
（第１実施例）
図１〜図４は、第１実施例の発信機を示す。このうち、図１（Ａ）は発信機の正面図、図１（Ｂ）は発信機の側面図、図２は発信機の分解斜視図、図３は図１に示す火災発信機を斜め後方から見た斜視図、図４は図１に示す火災発信機の中央にて切断して内部構造を示した縦断面図である。
第１実施例の発信機は、図１に示すように、前面中央に押釦１１が設けられている発信機１０と、該発信機１０を壁面等に取り付けるための固定手段としてのリング状ナット２０とを備える。
【００２２】
発信機１０は、前面視小判状（円を２本の平行線で上下に切断し、切断された左右両側の弓状部を除いた形状）をなしほぼ中央に押釦１１を有する本体ケース１２と、該本体ケース１２の前端部と係合する収納枠部１３Ａを背部に有する取付けベース体１３と、を備える。取付けベース体１３は、ほぼ平坦な前面パネル部を有し該前面パネル部の縁部に、上フランジ部１３Ｂ1および下フランジ部１３Ｂ2と横フランジ部１３Ｂ3（図３参照）が設けられているとともに、中央に押釦１１の前面が臨む開口部１３Ｃが形成されている。また、取付けベース体１３の収納枠部１３Ａは上面と下面がそれぞれ円筒の一部をなす円弧状に形成され、それらの周面に、リング状ナット２０が螺合可能な部分雄ネジ１３Ｄ1，１３Ｄ2が形成されている。
【００２３】
さらに、取付けベース体１３の前面には、上記開口部１３Ｃの上方に、収納凹部１３Ｅ（図２参照）が形成され、該収納凹部１３Ｅの前面側を覆うように小扉１４が設けられている。小扉１４は、両側部に上下方向に沿って所定の高さを有するリブ１４ａ，１４ａが形成され、該リブ１４ａ，１４ａの外側面にガイド溝１４ｂが形成されている。そして、該ガイド溝１４ｂが収納凹部１３Ｅの側壁面に形成されている突状部１３ａに係合されるとともに、ガイド溝１４ｂの一方の端（図２では上側の端部）が閉塞されている。また、収納凹部１３Ｅの底壁には、突状部１３ａに対応する高さ位置に、小扉１４の断面形状に対応した横長の矩形開口部１３ｂと、取付けベース体１３から本体ケース１２が外れるのを防止する脱落防止ネジ２３が挿通されるネジ挿通孔１３ｅが形成されている。
【００２４】
上記のような構成により、小扉１４は、水平な姿勢では前後方向にスライド可能であり、上方へ回動させて開いた後に後方へ移動させることで指を離しても開状態を維持することができるとともに、前方に引き出された状態ではガイド溝１４ｂの後端が突状部１３ａに当接することで、突状部１３ａを始点として上下方向に回動することができるようになっている。また、小扉１４の両側部にリブ１４ａ，１４ａが形成されているため、該リブが補強部材として機能し、開閉の際に強い力が加わったとしても扉が湾曲するのを防止することができるとともに、リブ以外の部位を薄くすることで、該小扉１４が出入りする収納凹部１３Ｅの奥部の矩形開口部１３ｂの面積を小さくし、ケース内部への水が侵入しにくくすることができる。
なお、収納凹部１３Ｅの底壁には、本体ケース１２に内蔵される後述の回路基板上に設けられている電話コネクタに接続された電話ジャックに対応して電話機プラグを挿通可能にするための電話機プラグ差込口１３ｃと、後述の押釦ロック解除用の復旧レバー１７の先端が突出するための開口１３ｄが形成されている。
【００２５】
押釦１１は、下方へ向かって伸びる２本の脚部１１ａ，１１ａを有し、該脚部１１ａ，１１ａの先端（図では下端）には、外側方へ向って突出する突起１１ｂ，１１ｂが形成されており、図５に示すように、該突起１１ｂ，１１ｂが本体ケース１２の前面下部に設けられている一対の支承部１２ｂ，１２ｂに係合されることで、突起１１ｂ，１１ｂを支点にして前後に回動可能に構成されている。また、押釦１１の背部と本体ケース１２との間には、圧縮バネ１５および押釦スイッチ１６が配設され、押釦１１が圧縮バネ１５のバネ力に抗して後方へ押圧されると、押釦スイッチ１６がオンされるように構成されている。
【００２６】
さらに、押釦１１の上端には係止片１１ｃが形成されているとともに、本体ケース１２の前面の収容凹部１２Ａ内に収容され先端が上下動可能にされた復旧レバー１７および該復旧レバー１７を下方へ向かって押圧する圧縮バネ１８が設けられており、押釦１１が押圧されると上端の係止片１１ｃが復旧レバー１７の先端の爪１７ａに係合することで押圧された状態が保持される。また、この状態で、復旧レバー１７の先端が圧縮バネ１８のバネ力に抗して上方へ持ち上げられると、係止片１１ｃと復旧レバー１７の爪１７ａとの係合が外れ、圧縮バネ１５のバネ力によって押釦１１が前方へ押されて元の位置に復帰するように構成されている。
【００２７】
また、本体ケース１２の背部には、発光素子Ｌ１が実装された回路基板１９および該回路基板１９を覆う背面カバー２１が、ネジ２２によって装着されるように構成されている。本体ケース１２には、押釦１１の背部に相当する位置に発光素子Ｌ１の先端が突出する孔１２ｄが形成されているとともに、押釦１１が半透明な樹脂で形成されることで、押釦１１を押すことにより押釦スイッチ１６がオンされて火災発生を知らせる信号が受信機に伝送され、火災発信機からの信号で発光素子Ｌ１が点灯され、その光が半透明な押釦１１を通して視認できるように構成されている。
【００２８】
回路基板１９上には、押釦スイッチ１６がオンされたことを検知して火災発生信号を生成する信号生成回路や生成された信号火災受信機へ送信する信号出力回路、火災発信機からの信号を受信する信号受信回路、受信した信号に応じて発光素子Ｌ１を点灯させる駆動回路、電話ジャックに接続され火災発信機の電話機との間で通話信号を送受信する送受信回路などを構成する抵抗やコンデンサ、ＩＣなどの電子部品が実装され、基板にはこれらの電子部品間を電気的に接続する配線パターンが形成されている。
【００２９】
上記本体ケース１２と取付けベース体１３とは、取付けベース体１３背部の収納枠部１３Ａと本体ケース１２の前端部（小判状部分）との嵌め合いにより一体化され、取付けベース体１３の収納枠部１３Ａの底壁に設けられているネジ挿通孔１３ｅに挿通されるネジ２３と、本体ケース１２の収容凹部１２Ａ内に設けられたボス部１２Ｂ内に埋設されたナット（図示省略）とによって結合されるように構成されている。
また、背面カバー２１には、一対の固定用のネジ２２が挿通される一対のネジ挿通孔２１ａと、上記回路基板１９上の回路と火災受信機とを接続するリード線が結合される端子台１９Ａを露出させたりリード線を引き出したりするための開口部２１ｂが設けられている。
【００３０】
上記のような構成を有する火災発信機１０は、例えば図６に示すように、本体ケース１２の外形に対応した形状の開口３０Ａを有する消火栓箱や各種機器収容箱の扉のパネルあるいは建物の壁面に設けられている取付けパネルのようなパネル３０を挟むようにして、火災発信機１０とリング状のナット２０を対向させ、火災発信機１０の本体ケース１２をパネル３０の開口３０Ａ内に挿入して、背部に突出した取付けベース体１３の外周面の部分雄ネジ１３Ｄ1と１３Ｄ2に、リング状のナット２０の雌ネジ部２０Ａを螺合させることで、取付けベース体１３とナット２０とでパネル３０を挟み込むことでパネル３０に取り付けられる。
【００３１】
さらに、本実施例の発信機においては、図７（Ａ）に拡大して示すように、取付けベース体１３の外周面の部分雄ネジ１３Ｄ1，１３Ｄ2とナット２０の雌ネジ部２０Ａの開口側端部に、数ｍｍの幅でネジの未形成部１３ｆ1，１３ｆ2と２０ｆがそれぞれ設けられている。これにより、取付けベース体１３の部分雄ネジ１３Ｄ1，１３Ｄ2にナット２０の雌ネジ部２０Ａを螺合させる際に、図７（Ｂ）に示すように、先ず未形成部１３ｆ1，１３ｆ2と２０ｆとを嵌合させてからナット２０を回すことで、雄ネジと雌ネジの互いの始まり位置を確認しなくともナット２０の螺合作業を容易に行なえるように工夫されている。
【００３２】
すなわち、未形成部１３ｆと２０ｆが設けられていない場合には、取付けベース体１３の部分雄ネジ１３Ｄ1と１３Ｄ2にナット２０を接合させた際に、雄ネジの始まり位置と雌ネジの始まり位置がずれていると、ネジの噛み合わせが悪く、ナット２０を回しても円滑に螺合せず、力を入れて無理やり回すとネジ山が破損してしまうおそれがあるが、未形成部１３ｆ1，１３ｆ2と２０ｆを設けることにより、円滑な螺合が可能となる。
【００３３】
さらに、ナット２０に関しては、ネジの未形成部２０ｆが、表裏両方の開口端側にそれぞれ設けられている。これにより、ナット２０に表裏の別がなくなり、いずれの面を取付けベース体１３の背面に対向させた状態でも円滑に螺合させることができるようになる。また、取付けベース体１３側の雄ネジが上フランジ部１３Ｂ1と下フランジ部１３Ｂ2に対応した部分雄ネジであるため、全周にわたる雄ネジを形成したものに比べて小さな力でナット２０を回して螺合させることができる。また、特に限定されるものではないが、本実施例では、ナット２０と部分雄ネジ１３Ｄ1，１３Ｄ2には、２条ネジが使用されている。これにより、１条ネジに比べて短い時間に締め付け、取り外しが行なえる。
また、取付け時にネジが螺合し始める場所が対向配置されるので（１８０度間隔で２箇所）、リング状ナットを最大１８０度回転させれば螺合を開始させることができ、これにより取付け作業が容易になる。
【００３４】
（第２実施例）
次に、図８〜図１０を用いて、本発明に係る火災発信機の第２実施例について説明する。
第２実施例は、図８に示すように、発信機１０と合体可能な装飾パネル４０を設けたもので、本体ケース１２と取付けベース体１３を有する発信機１０は、第１実施例の火災発信機と同じである。本実施例は、円盤状をなす既設の旧型火災発信機を、本発明に係る火災発信機に置き換える際に適用すると有効な実施例である。
【００３５】
本実施例における装飾パネル４０は、図９に示すように、発信機１０の左右両側方に位置する一対の弓形の補形部４１Ａ，４１Ｂと、発信機１０の取付けベース体１３を収納可能な収納凹部４２ａを有する台座部４２と、を備え、全体として円盤状をなすように構成されている。そして、台座部４２の底壁中央には、発信機１０の本体ケース１２が挿通可能な開口４３が形成され、該開口４３の上縁および下縁には、装飾パネル４０を壁面等に固定するためのネジを挿通させる切欠き４３ａ，４３ｂが設けられている。上記台座部４２の底壁に、本体ケース１３の部分ネジ周辺部後面１２Ｃ（収容凹部１２Ａの裏面）が接触される。また、収納凹部４２ａの縁部には、取付けベース体１３の上フランジ部１３Ｂ1および下フランジ部１３Ｂ2と横フランジ部１３Ｂ3，１３Ｂ4が接合される段差部４２ｂが形成されている。
【００３６】
図１０には、上記のような構成を有する本実施例における装飾パネル４０と一体の発信機１０を設置する方法の一例が示されている。図１０に示すように、装飾パネル４０と一体の火災発信機１０は、装飾パネル４０の裏面側に設置用プレート４４を配設し、設置用プレート４４を、消火栓箱や各種機器収容箱の扉のパネルあるいは建物の壁面に設けられている取付けパネルのようなパネルの前面に図示しないネジにて取り付ける（取付けパネルに既設のネジ穴がある場合は、設置用プレートの対応する穴を利用する）。次に、発信機１０を取付ベース体１３と本体ケース１２に分けて、本体ケース１２と設置用プレート４４で、装飾パネル４０を挟むようにして、ネジ４５Ａ，４５Ｂを本体ケース１２より切欠き４３ａ，４３ｂに挿通して、設置用プレート４４の対応する位置に形成されているネジ穴（雌ネジ）４６ａ，４６ｂに螺合させることで取り付けられる。なお、装飾プレート４０が、発信機１０と設置用プレート４４とに共締めされる際、設置用プレート４０の外郭円周部の切り欠き（図１０、本実施例では２か所）に、装飾パネル４０裏面側に設けられた図示しないフック（本実施例では２か所）が係止されるようになっている。取付けパネルそのものにネジ穴等、上述した設置プレート４４の各機能を設けて設置用プレート４４の代わりとしてもよい。
【００３７】
（第３実施例）
次に、図１１〜図１３を用いて、本発明に係る火災発信機の第３実施例について説明する。
第３実施例は、図１１に示すように、発信機１０と合体可能な表示灯５０を設けたもので、本体ケース１２と取付けベース体１３を有する発信機１０は、第１実施例の発信機のものと同じである。本実施例は、建設中または増築中の建物等に新たに火災発信機や表示灯を設置する際に適用すると有効な実施例である。
【００３８】
表示灯５０は、図１２に示すように、発信機１０の左右両側方に位置する一対の表示部５１Ａ，５１Ｂと、発信機１０の本体ケース１２を収納可能な収納凹部５２ａを有する台座部５２と、を備える。そして、台座部５２の底壁中央には、発信機１０の本体ケース１２が挿通可能な開口５３が形成されている。
また、表示部５１Ａ，５１Ｂの背部側には、凹部が形成されており、該凹部内に発光素子を実装した基板が収納可能にされている。表示灯５０は、赤色の塗料で着色された透明もしくは半透明の樹脂で形成されており、発光素子が点灯されると表示部５１Ａ，５１Ｂは赤色で発光する。
【００３９】
図１３には、上記のような構成を有する本実施例における表示灯５０と一体の発信機１０を設置する方法の一例が示されている。図１３に示すように、火災発信機１０は、本体ケース１２の外形に対応した形状の開口３０Ａを有する消火栓箱や各種機器収容箱の扉のパネルあるいは建物の壁面に設けられている取付けパネルのようなパネル３０を挟むようにして、火災発信機１０とリング状のナット２０を対向させるとともに、火災発信機１０とパネル３０との間に表示灯５０を介在させた状態で、火災発信機１０の本体ケース１２をパネル３０の開口３０Ａ内に挿入する。そして、背部に突出した取付けベース体１３の外周面の部分雄ネジ１３Ｄ1と１３Ｄ2に、ナット２０の雌ネジ部２０Ａを螺合させることで、パネル３０に取り付けられる。また、取付けの際に、上記台座部５２の底壁に、本体ケース１３の部分ネジ周辺部後面１２Ｃ（収容凹部１２Ａの裏面）が接触される。
【００４０】
また、発信機１０の本体ケース１２裏面に２個の位置決め用突起１２ｅ（図４参照）が設けられ、表示灯５０の台座部５２の底壁には、上記突起１２ｅに対応する位置に当該突起１２ｅの頭部が係合可能な位置決め用凹部５２ｂが２個設けられており（図１２(Ａ)参照）、火災発信機１０と表示灯５０とを合体させた際に、組み付け誤差を小さくし火災発信機１０と表示灯５０とのガタツキや位置ずれを減らすことができるようになっている。
【００４１】
なお、表示部５１Ａ，５１Ｂの背部に発光素子を収納しない形態としても良い。この場合、表示灯５０は、第２実施例と同様、装飾パネルとみなすことができる。具体的には、本実施例の表示灯５０と同形状で表示機能を有しない装飾パネル（６０）であって、発信機１０と同系色で着色された樹脂のものを用いれば、全体として従来から馴染みのある円形状の発信機（発信装置）となる。従って、表示灯と発信機を各々別個に設置する場合には、上述（実施例３）の表示灯５０に替えて上記装飾パネル６０を使用し、更に発信機１０とリング状ナット２０とを用いて、上述した表示灯５０を用いた場合と同様の取付け方法により発信機として設置することができる。
また、本体ケース１２内に発光素子を内蔵し、導光板等によって光を誘導して表示部５１Ａ，５１Ｂを構成する透明パネルの端部に光を入射させて表示部５１Ａ，５１Ｂの表面より出射させることで光らせるようにしても良い。
【００４２】
以上、本発明を実施形態に基づいて説明したが、本発明は上記実施形態のものに限定されるものではない。例えば、上記第２実施例と第３実施例においては、火災発信機と合体される装飾パネル４０の左右の補形部４１Ａ，４１Ｂや表示灯５０の左右の表示部５１Ａ，５１Ｂの形状として弓形を採用したものを示したが、図１４（Ａ）に示すような三日月形、図１４（Ｂ）に示すようなかまぼこ形、図１４（Ｃ）に示すような三角形の形状を採用するようにしても良い。
【００４３】
また、上記実施形態では、取付けベース体１３の収納枠部１３Ａの上部と下部の外周面の部分雄ネジ１３Ｄ1と１３Ｄ2を設けているが、取付けベース体１３のフランジ部１３Ｂ1，１３Ｂ2の背面に円弧状の固定片を設けて、その内周面に連続した雌ネジの一部をなす部分雌ネジを形成し、該部分雌ネジに、当該雌ネジの径に対応した径を有する雄ネジ部と把手部を有するリング状のボルトを螺合させることで、火災発信機を消火栓箱の扉等のパネルに取り付けられるように構成しても良い。
【００４４】
また、上記第３実施例では、発信機の左右に配置される表示部５１Ａ，５１Ｂの前面を、発信機の前面と連続するほぼ平坦な形状としたものを示したが、表示部５１Ａ，５１Ｂは前方へ膨出したドーム状に形成しても良い。このようにしても、表示部５１Ａ，５１Ｂは従来の砲弾形の表示灯に比べて突出量がかなり小さくなる上、平坦なものに比べて横方向から点灯状態を視認し易くなるという利点がある。
さらに、上記実施形態では、本発明を、火災報知システムを構成する火災発信機および該発信機と合体可能な装飾パネルまたは表示灯とを組み合わせた機器に適用したものを説明したが、本発明は火災発信機に限定されず、駅のプラットホームや踏切に設置される列車緊急報知用の発信機、トイレや浴室など設置される緊急呼出し用の発信機に広く利用することができる。
【符号の説明】
【００４５】
１０  発信機
１１  押釦
１２  本体ケース
１２Ｃ  収容凹部１２Ａの裏面（後面）
１３  取付けベース体
１３Ａ  収納枠部
１３Ｂ  フランジ部
１３Ｄ  部分雄ネジ
１４  小扉
１６  押釦スイッチ（検知手段）
１７  復旧レバー（操作杆）
１９  回路基板
２０  リング状ナット（固定手段）
３０  取付けパネル
４０  装飾パネル
４１Ａ，４１Ｂ  補形部
４２  台座部
４２ａ  収納凹部
５０  表示灯
５１Ａ，５１Ｂ  表示部
５２  台座部
５２ａ  収納凹部
【図１】
2018120516.tif 000003
【図２】
2018120516.tif 000004
【図３】
2018120516.tif 000005
【図４】
2018120516.tif 000006
【図５】
2018120516.tif 000007
【図６】
2018120516.tif 000008
【図７】
2018120516.tif 000009
【図８】
2018120516.tif 000010
【図９】
2018120516.tif 000011
【図１０】
2018120516.tif 000012
【図１１】
2018120516.tif 000013
【図１２】
2018120516.tif 000014
【図１３】
2018120516.tif 000015
【図１４】
2018120516.tif 000016